(57)【要約】      （修正有）【課題】内容物の吐出時に、内容物が飛び散ることを防止し、内容物の自重による液ダレの発生を防止した閉鎖膜付きチューブ容器を提供する。【解決手段】閉鎖膜１を有するチューブ容器本体２と、該チューブ容器本体の口部３に嵌合又は螺合される中栓体４と、該中栓体に螺合又は嵌合されるキャップ５とからなる閉鎖膜付きチューブ容器において、前記中栓体が、前記閉鎖膜を穿孔するための開孔針６と、該開孔針を閉鎖膜に向けて押圧する弾性体７とを有しており、前記キャップが、前記開孔針を押圧することにより前記閉鎖膜を穿孔可能な押圧片５ａを有しており、前記開孔針は、前記閉鎖膜が穿孔された後、閉鎖膜を穿孔した位置で、閉鎖膜に押し当てられた状態を維持して、内容物の流出を防止することを特徴とする閉鎖膜付きチューブ容器。【選択図】図１
2015054697.tif 000002
【特許請求の範囲】
【請求項１】
閉鎖膜を有するチューブ容器本体と、該チューブ容器本体の口部に嵌合又は螺合される中栓体と、該中栓体に螺合又は嵌合されるキャップとからなる閉鎖膜付きチューブ容器において、
前記中栓体が、前記閉鎖膜を穿孔するための開孔針と、該開孔針を閉鎖膜に向けて押圧する弾性体とを有しており、
前記キャップが、前記開孔針を押圧することにより前記閉鎖膜を穿孔可能な押圧片を有しており、
前記開孔針は、前記閉鎖膜が穿孔された後、閉鎖膜を穿孔した位置で、閉鎖膜に押し当てられた状態を維持して、内容物の流出を防止することを特徴とする閉鎖膜付きチューブ容器。
【請求項２】
前記弾性体は、その一端が前記中栓体に連結されると共に、他端が前記開孔針に連結された螺旋形状又は断面横棒形状を呈しており、開孔針を閉鎖膜上で上下動可能に支持する請求項１記載の閉鎖膜付きチューブ容器。
【請求項３】
前記弾性体が前記中栓体の内面から横向きに延びる舌片形状を呈しており、前記閉鎖膜が穿孔されたとき、前記開孔針が弾性体に係合すると共に、閉鎖膜に向けて押圧される請求項１記載の閉鎖膜付きチューブ容器。
【請求項４】
前記内容物が、染毛剤である請求項１〜３記載の閉鎖膜付きチューブ容器。
【発明の詳細な説明】
【技術分野】
【０００１】
本発明は、閉鎖膜付きチューブ容器に関し、さらに詳しくは、閉鎖膜の穿孔時に内容物の飛び散りを防止すると共に、内容物の液ダレを防止した閉鎖膜付きチューブ容器に関する。
【背景技術】
【０００２】
従来、食料品、化粧品、医薬品等を収納するチューブ容器には、口部に閉鎖膜を設けて、流通過程において内容物を保護するものがある。このような閉鎖膜付きチューブ容器から内容物を取り出す場合は、キャップの雌ネジ部と反対側に設けられた針体の先端を閉鎖膜に突き刺すことによって閉鎖膜を破り、開口された孔から内容物を吐出していた。
【０００３】
このような従来の閉鎖膜付きチューブ容器としては、図９および図１０に示すものがある。図中、５０はチューブ容器本体であり、チューブ容器本体５０の口部５１には、閉鎖膜５２が形成されている。そして、口部５１に螺合するキャップ５３の雌ネジ部と天面５４を介して反対側に凹所５５が形成され、この凹所５５の中央部に針体５６が形成されている。この針体５６で閉鎖膜５２を突き刺して破ることにより、チューブ容器本体５０の閉鎖膜５２は穿孔され、内容物の吐出が可能となる。又その他の従来の閉鎖膜付きチューブ容器として、キャップの雌ネジ部と同方向に設けられた針体の先端を、針体を押し下げることにより、閉鎖膜に突き刺して閉鎖膜を破り内容物を吐出する閉鎖膜付きチューブ容器があった。このような従来の先行技術文献としては、特許文献１及び特許文献２がある。
【先行技術文献】
【特許文献】
【０００４】
【特許文献１】特開平８−１９８２８５号公報
【特許文献２】特許第２６７３１６０号公報
【発明の概要】
【発明が解決しようとする課題】
【０００５】
しかし、特許文献１，２の閉鎖膜付きチューブ容器は以下に示すような欠点があった。
（１）染毛剤等の内容物が、低粘度、低表面張力の液状物質である場合、閉鎖膜を穿孔すると、穿孔された孔から内容物が飛び散るという問題があった。
（２）染毛剤等の内容物が、低粘度、低表面張力の液状物質である場合、内容物の吐出時に液切れが悪く、内容物の自重による液ダレが発生する問題があった。
この発明は、このような課題に着目してなされたものであり、閉鎖膜を穿孔した際の内容物の飛び散り、内容物の自重による液ダレを防止すると共に、液切れが良好である閉鎖膜付きチューブ容器を提供することを目的とする。
【課題を解決するための手段】
【０００６】
この課題を解決するため、請求項１記載の発明の解決手段は、閉鎖膜を有するチューブ容器本体と、該チューブ容器本体の口部に嵌合又は螺合される中栓体と、該中栓体に螺合又は嵌合されるキャップとからなる閉鎖膜付きチューブ容器において、前記中栓体が、前記閉鎖膜を穿孔するための開孔針と、該開孔針を閉鎖膜に向けて押圧する弾性体とを有しており、前記キャップが、前記開孔針を押圧することにより前記閉鎖膜を穿孔可能な押圧片を有しており、前記開孔針は、前記閉鎖膜が穿孔された後、閉鎖膜を穿孔した位置で、閉鎖膜に押し当てられた状態を維持して、内容物の流出を防止することを特徴とする閉鎖膜付きチューブ容器である。
【０００７】
請求項２記載の発明の解決手段は、前記弾性体は、その一端が前記中栓体に連結されると共に、他端が前記開孔針に連結された螺旋形状又は断面横棒形状を呈しており、開孔針を閉鎖膜上で上下動可能に支持する閉鎖膜付きチューブ容器である。
【０００８】
請求項３記載の発明の解決手段は、前記弾性体が前記中栓体の内面から横向きに延びる舌片形状を呈しており、前記閉鎖膜が穿孔されたとき、前記開孔針が弾性体に係合すると共に、閉鎖膜に向けて押圧される閉鎖膜付きチューブ容器である。
【０００９】
請求項４記載の発明の解決手段は、前記内容物が、染毛剤である閉鎖膜付きチューブ容器である。
【発明の効果】
【００１０】
この発明によれば、閉鎖膜を穿孔した際の内容物の飛び散り、および、内容物の自重による液ダレを防止する効果を有すると共に、液切れが良好である効果を奏し、残圧による内容物の連続的な吐出を防止することができる。
【図面の簡単な説明】
【００１１】
【図１】本発明に係る閉鎖膜付きチューブ容器の実施例１を示した断面図。
【図２】本発明に係る閉鎖膜付きチューブ容器の実施例１において、押圧片で開孔針を押圧する状態を示す断面図
【図３】本発明に係る閉鎖膜付きチューブ容器の実施例１において、開孔針で閉鎖膜を穿孔している状態を示す一部拡大図。
【図４】本発明に係る閉鎖膜付きチューブ容器の実施例１において、チューブ容器本体の胴部を指で押圧することにより、開孔針が内容物によって閉鎖膜上に押し上げられている状態を示す一部拡大図。
【図５】本発明に係る閉鎖膜付きチューブ容器の実施例２において、開孔針で閉鎖膜を穿孔している状態を示す一部拡大図。
【図６】本発明に係る閉鎖膜付きチューブ容器の実施例２において、チューブ容器本体の胴部を指で押圧することにより、開孔針が内容物によって閉鎖膜上に押し上げられている状態を示す一部拡大図。
【図７】本発明に係る閉鎖膜付きチューブ容器の実施例３において、開孔針で閉鎖膜を穿孔している状態を示す一部拡大図。
【図８】本発明に係る閉鎖膜付きチューブ容器の実施例４において、開孔針で閉鎖膜を穿孔している状態を示す一部拡大図。
【図９】従来の閉鎖膜付きチューブ容器を示す断面図。
【図１０】従来の閉鎖膜付きチューブ容器において、閉鎖膜が穿孔される状態を示す断面図。
【発明を実施するための形態】
【００１２】
以下、本発明の実施例の一例を図面に基づいて説明する。
【実施例１】
【００１３】
図１〜図４は、この発明に係る実施例１であり、本発明の閉鎖膜付きチューブ容器は、閉鎖膜１を有するチューブ容器本体２と、このチューブ容器本体２の口部３に嵌合又は螺合される中栓体４と、この中栓体４に螺合又は嵌合されるキャップ５とから構成されている。中栓体４は、そのノズル筒４ａ内に開孔針６を備えており、開孔針６は弾性体７を介してノズル筒４ａの内面に連結されている。図１は、開孔針６が閉鎖膜１に当接すると共に、弾性体７により常に閉鎖膜１に向けて押圧された状態を示している。しかし、開孔針６は、閉鎖膜１を破るほどの押圧力を有しないように設定されているので、弾性体２の下方向への押圧力は弱い押圧力である。キャップ５は、その天面と側壁によって形成された凹所の中央部に押圧片５ａを備えている。この押圧片５ａは、後述するように、開孔針６に押し当てて閉鎖膜１を穿孔するためのものである。また、実施例１の弾性体７は螺旋形状の帯状片又は紐状片が３〜４本形成され、その一端が中栓体４のノズル筒４ａの内面に、他端が開孔針６に連結されているが、弾性体７の寸法、肉厚、本数等については任意に決定することができる。
【００１４】
次に、この実施例１に示す閉鎖膜付きチューブ容器の使用方法について説明する。まず、図２に示すように、キャップ５を中栓体４から外して、キャップ５の押圧片５ａをノズル筒４ａ内に挿入し、開孔針６の天面部に押し当てる。そして、キャップ５全体で開孔針６を押圧し、押圧片５ａが止まるところまで押し込む。これにより、開孔針６によって閉鎖膜１が穿孔され、連通孔が形成される。なお、押圧片５ａは、弾性体７に干渉することなくノズル筒４ａ内に挿入することができるような形状に設定されている。図３は、閉鎖膜１を穿孔した後の状態を示す図面である。開孔針６は閉鎖膜１に押し当てられ、閉鎖膜１を穿孔した状態に維持される。すなわち、弾性体７の押圧力により、開孔針６は閉鎖膜１の穿孔された連通孔を塞ぎ、かつ、閉鎖膜１に向かって押圧された状態に維持される。図３は、Ｘ部において開孔針６と閉鎖膜１が当接した状態を示しており、チューブ容器本体２を押圧しない限り、図３の状態が維持される。チューブ容器本体２を押圧すると、図４に示すように、開孔針６が、内容物の圧力によって上方に移動させられる。そのため、染毛剤等の内容物が連通孔を通って中栓体４のノズル筒４ａから外部に吐出される。これにより、内容物が低粘度、低表面張力の液状物質である場合においても、閉鎖膜の穿孔時に内容物が飛び散ることがない。また、内容物の自重による液ダレを効果的に防止することができるため、液切れもよく、チューブ容器本体内の残圧によって連続的な内容物の吐出を防止することができる。
【実施例２】
【００１５】
図５及び図６は、この発明に係る実施例２であり、開孔針１６は、断面横棒形状の帯状片又は紐状片からなる弾性体１７を介して中栓体（図示せず）のノズル筒の内面に連結されている。この弾性体１７は、若干傾斜しているが、水平に形成してもよい。また、弾性体１７の本数については、周方向に３〜４本程度均等に配置するのが好ましいが、弾性力に応じて任意に決定することができる。その他の構成は、実施例１と同じである。この実施例２も、実施例１と同様に、キャップの押圧片１５ａで開孔針１６を押圧して閉鎖膜１を穿孔した後、開孔針１６は、弾性体１７の押圧力によって、閉鎖膜１の穿孔された連通孔を塞ぎ、かつ、閉鎖膜１に押し当てられた状態を維持する。この場合も、内容物の飛び散りを防止できると共に、液切れがよい。なお、開孔針１６の天面部に押圧片ガイド１６ａを形成することにより、押圧片１５ａは押圧片ガイド１６ａに案内されながら、真っ直ぐに開孔針１６を押圧し閉鎖膜１を穿孔する。なお、この押圧片ガイド１６ａは、前述の実施例１や後述する実施例３，４にも適用することができる。
【実施例３】
【００１６】
図７は、この発明に係る実施例３であり、中栓体２４のノズル筒２４ａ内に開孔針２６を備えている。この開孔針２６は、閉鎖膜１の穿孔前の状態において、閉鎖膜１に当接していない点で、実施例１，２と異なっている。そして、開孔針２６は、その周囲に補助筒２６ａを有しており、補助筒２６ａは、弾性力を有しない断面横棒形状の帯状片又は紐状片からなる連結片２６ｂにより開孔針２６に連結されている。この連結片２６ｂは、若干傾斜しているが、水平に形成してもよい。なお、連結片２６ｂは、周方向に３〜４本程度均等に配置するのが好ましいが、任意に決定することができる。また、連結片２６ｂは、その両端部すなわち補助筒２６ａを備えた開孔針２６との連結部分に、薄肉部又は溝部を有してもよい。このようにすることで、連結片２６ｂが薄肉部又は溝部で屈曲する。さらに、補助筒２６ａは、螺旋状の弾性体２７を介して中栓体２４に連結されている。この弾性体２７は、その一端が中栓体２４のノズル筒２４ａの内面に、他端が補助筒２６ａの上端に連結されている。
【００１７】
この実施例３の閉鎖膜付きチューブ容器を使用する場合もまた、まずキャップの押圧片２５ａで開孔針２６を押圧する。すると、破線で示すように、連結片２６ｂが反転し、開孔針２６により閉鎖膜１が穿孔される。このとき、連結片２６ｂの反転作用で、補助筒２６ａが破線で示すように上方に持ち上げられる。同時に、弾性体２７は縮み、閉鎖膜１に向かう付勢作用を発揮する。この実施例３も、実施例１と同様に、キャップの押圧片２５ａで開孔針２６を押圧して閉鎖膜１を穿孔した後、開孔針２６は、弾性体２７の押圧力によって、閉鎖膜１の穿孔された連通孔を塞ぎ、かつ、閉鎖膜１に押し当てられた状態を維持する。そのため、内容物の飛び散りを防止できると共に、液切れがよい。なお、連結片２６ｂが反転した後、その反転状態が維持される。
【実施例４】
【００１８】
図８は、この発明に係る実施例４であり、中栓体３４のノズル筒３４ａ内に開孔針３６を備えており、該開孔針３６の下方に舌片状の弾性体３７を有している。この開孔針３６もまた、実施例３と同様に、閉鎖膜１の穿孔前の状態において、閉鎖膜１に当接していない点で、実施例１，２と異なっている。そして、開孔針３６は、弾性力を有しない断面横棒形状の連結片３６ａにより中栓体３４のノズル筒３４ａの内面に連結されている。この連結片３６ａは、若干傾斜しているが、水平に形成してもよい。なお、連結片３６ａは、周方向に３〜４本程度均等に配置するのが好ましいが、任意に決定することができる。また、舌片状の弾性体３７は、ノズル筒の内面から半径方向内向きに延びている。この弾性体３７は、例えば、周方向に６〜８個程度均等に配置されている。そして、実施例４の特徴は、この舌片状の弾性体３７を設けた点にある。
【００１９】
この実施例４の閉鎖膜付きチューブ容器を使用する場合もまた、まずキャップの押圧片３５ａで開孔針３６を押圧する。すると、破線で示すように、連結片３６ａが反転し、開孔針３６により閉鎖膜１が穿孔される。同時に、開孔針３６が舌片状の弾性体３７を乗り越え、開孔針３６の天面部と舌片状の弾性体３７の下面とが係合する。この舌片状の弾性体３７によって、開孔針３６は、閉鎖膜１の穿孔された連通孔（図示せず）を塞ぎ、かつ、閉鎖膜１に押し当てられた状態を維持する。そして、チューブ容器本体２を押圧すると、内容物の圧力によって、開孔針３６が上方に移動させられる。そのため、内容物が閉鎖膜１の穿孔された連通孔を通って中栓体３４のノズル筒３４ａから外部に吐出される。このとき、舌片状の弾性体３７は弾性変形した状態にあるが、チューブ容器本体２の押圧を止めると、弾性体３７が元の形状に復帰し、開孔針３６が閉鎖膜１に押し当てられる。そのため、内容物の飛び散りを防止できると共に、液切れがよい。なお、連結片３６ａと弾性体３７は、各々形成される周方向位置が異なっている。つまり、連結片３６ａは、閉鎖膜の穿孔時に、隣り合う弾性体３７の間を通過し、反転する。そして、連結片３６ａは、反転した状態を維持する。
【００２０】
これら実施例１〜４は、この発明の一例を示したにすぎず、変更可能な実施形態として、次のようなものがある（図示せず）。例えば、実施例１，２では、螺旋形状や断面横棒形状の弾性体７，１７が示されているが、その他の形状であってもよい。
また、閉鎖膜付きチューブ容器は、閉鎖膜１がチューブ容器本体２と一体のものが図示されているが、別体の閉鎖膜１をチューブ容器本体に取り付けたものであってもよい。例えば、アルミニウム箔層と合成樹脂層を有する積層材をチューブ容器本体の口部上端に貼着したものであってもよく、また、この積層材を鍔付きカップ状の閉鎖部材に成形して、この閉鎖部材をチューブ容器本体の口部内側に設けたものであってもよい。
また、キャップ５の押圧片５ａは、その天面と側壁によって形成された凹所に形成されており、開孔針６とは反対方向に延びているが、開孔針６に向かって延びていてもよい。その場合、この押圧片を屈曲した薄肉壁を介してキャップの天面に連結してもよい。この薄肉壁は、押圧片が上下方向に移動できるように変形する。そのため、中栓体にキャップを螺合又は嵌合したまま、押圧片を指や棒状物等で押し下げて、開孔針を押圧することができる。すなわち、中栓体にキャップを螺合又は嵌合したまま、閉鎖膜を穿孔することができる。
【産業上の利用可能性】
【００２１】
本発明に係る閉鎖膜付きチューブ容器は、薬品、化粧品、食品、接着剤等を収納するチューブ容器として、広く利用することができる。
【符号の説明】
【００２２】
１  閉鎖膜
２  チューブ容器本体
３  口部
４，２４，３４  中栓体
５  キャップ
５ａ，１５ａ，２５ａ，３５ａ  押圧片
６，１６，２６，３６  開孔針
７，１７，２７，３７  弾性体
２６ｂ，３６ａ  連結片
【図１】
2015054697.tif 000003
【図２】
2015054697.tif 000004
【図３】
2015054697.tif 000005
【図４】
2015054697.tif 000006
【図５】
2015054697.tif 000007
【図６】
2015054697.tif 000008
【図７】
2015054697.tif 000009
【図８】
2015054697.tif 000010
【図９】
2015054697.tif 000011
【図１０】
2015054697.tif 000012